(57)【要約】【課題】  停止テーブルの記憶容量を削減しつつ、実現可能な停止制御の種類の低減を可能な限り抑制する。【解決手段】  停止制御手段１２５は、抽選手段１１０の抽選結果に基づき停止テーブル１３０を用いて各回転リールの停止制御を行う。進みコマ数停止テーブル１３１は、左回転リールの各図柄に対応するコマ番号と予め定めた進みコマ数とが対応付けられたもので、２１個の図柄に対応する２１バイトの各上位４ビットと各下位４ビットとに停止テーブルがそれぞれ記憶されている。左・中・右リール用簡易停止テーブル１３２〜１３４は、各回転リールの各図柄に対応するコマ番号と、回転を停止するか停止しないかの停止・非停止の２状態を１ビットで表す停止データとが対応付けられたもので、２１個の図柄に対応する２１バイトの各ビットに停止テーブルがそれぞれ記憶されている。【選択図】  図５
2005319187.tif 000002
【特許請求の範囲】
【請求項１】
それぞれ周囲に複数の図柄が表示された複数の回転リールと、
遊技者の操作により前記各回転リールの回転を開始させるためのスタートスイッチと、
前記各回転リールに対応してそれぞれ設けられ遊技者の操作により対応する回転リールの回転を停止させるための複数のストップスイッチと、
前記複数の回転リールのうち予め定められた特定リールの各図柄に対応するコマ番号と進みコマ数とを対応付けて記憶する前記特定リール用の第１停止テーブルと、
前記各回転リールの各図柄に対応するコマ番号と、回転を停止するか停止しないかの停止・非停止の２状態を１ビットで表す停止データとを対応付けて記憶する各回転リールごとの第２停止テーブルと、
前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段と
を備えたことを特徴とする遊技機。
【請求項２】
所定の基準位置に位置する前記各回転リールの各図柄に対応するコマ番号を検出する検出手段をさらに備え、
前記停止制御手段は、
前記第１停止テーブルを用いるときは、前記特定リールに対応するストップスイッチの操作時に前記基準位置に位置する前記特定リールの図柄に対応するコマ番号を前記検出手段により検出し、該検出したコマ番号に対応付けられた前記進みコマ数だけ進ませて前記特定リールを停止させ、
前記第２停止テーブルを用いるときは、前記各回転リールに対応するストップスイッチの操作時に前記基準位置に位置する前記各回転リールの図柄に対応するコマ番号を前記検出手段により検出し、該検出したコマ番号に対応付けられた前記停止データが停止のときは該コマ番号で前記各回転リールを停止させ、前記停止データが非停止のときは前記停止データが停止となるコマ番号まで進ませて前記各回転リールを停止させるものであることを特徴とする請求項１に記載の遊技機。
【請求項３】
前記スタートスイッチの操作に基づき抽選を行う抽選手段をさらに備え、
前記第１停止テーブルは、前記抽選手段の複数の抽選結果に対応してそれぞれ少なくとも１個ずつ設定されて複数個設けられ、
前記第２停止テーブルは、前記各回転リールごとに、前記抽選手段の複数の抽選結果に対応してそれぞれ少なくとも１個ずつ設定されて複数個ずつ設けられ、
前記停止制御手段は、前記特定リールの停止制御に用いる第１停止テーブルを前記複数個から前記抽選手段の抽選結果に基づき選択し、前記非特定リールの停止制御に用いる第２停止テーブルを前記複数個から前記抽選手段の抽選結果に基づき選択することを特徴とする請求項１に記載の遊技機。
【請求項４】
前記複数個の第１停止テーブルにそれぞれ対応する複数個の第１選択データをさらに備え、
前記各回転リールは、それぞれＮ（Ｎは２以上の整数）個の図柄を有し、
前記進みコマ数は０〜Ｍ（Ｍは１５以下の正の整数）のいずれかの整数であり、
前記第１停止テーブルは、Ｎ個の各図柄に対応するコマ番号に対応付けられた前記進みコマ数をＮバイトのテーブルデータのそれぞれ上位４ビットおよび下位４ビットに記憶してなり、
前記Ｎバイトのテーブルデータは、複数設けられ、
前記複数個の第１選択データは、それぞれ複数の前記Ｎバイトのテーブルデータのうちの１つのテーブルデータの上位４ビットおよび下位４ビットのいずれかに対応するもので、
前記停止制御手段は、前記抽選手段の抽選結果に基づき前記複数個の第１選択データから１つの第１選択データを決定し、この決定した第１選択データに対応する第１停止テーブルを選択することを特徴とする請求項３に記載の遊技機。
【請求項５】
所定の基準位置に位置する前記各回転リールの各図柄に対応するコマ番号を検出する検出手段をさらに備え、
前記停止制御手段は、
前記第１停止テーブルを用いるときは、前記特定リールに対応するストップスイッチの操作時に前記基準位置に位置する前記特定リールの図柄に対応するコマ番号を前記検出手段により検出し、該検出したコマ番号に対応付けられた前記進みコマ数だけ進ませて前記特定リールを停止させ、
前記第２停止テーブルを用いるときは、前記各回転リールに対応するストップスイッチの操作時に前記基準位置に位置する前記各回転リールの図柄に対応するコマ番号を前記検出手段により検出し、該検出したコマ番号に対応付けられた前記停止データが停止のときは該コマ番号で前記各回転リールを停止させ、前記停止データが非停止のときは前記停止データが停止となるコマ番号まで進ませて前記各回転リールを停止させるものであることを特徴とする請求項３または４に記載の遊技機。
【請求項６】
前記各回転リールごとに、前記複数個の第２停止テーブルにそれぞれ対応する複数個の第２選択データをさらに備え、
前記停止制御手段は、
前記抽選手段の抽選結果に基づき、前記各回転リールごとに、前記複数個の第２選択データから１つの第２選択データを決定し、
前記特定リールに対応するストップスイッチが最初に操作されたときに、前記特定リールの停止時に前記基準位置に位置する該特定リールの図柄に対応するコマ番号を前記検出手段により検出し、
前記検出手段の検出結果と前記抽選手段の抽選結果とに基づき前記第２選択データを変更し、
その変更した第２選択データに対応する第２停止テーブルを選択することを特徴とする請求項５に記載の遊技機。
【請求項７】
前記複数の回転リールおよび前記複数のストップスイッチは、それぞれ横方向に並んで配設され、前記特定リールおよび該特定リールに対応するストップスイッチは、それぞれ左端に配設されていることを特徴とする請求項１ないし６のいずれかに記載の遊技機。
【請求項８】
それぞれ周囲に複数の図柄が表示された複数の回転リールと、遊技者の操作により前記各回転リールの回転を開始させるためのスタートスイッチと、前記各回転リールに対応してそれぞれ設けられ遊技者の操作により対応する回転リールの回転を停止させるための複数のストップスイッチと
を備えた遊技機を、
前記複数の回転リールのうち予め定められた特定リールの各図柄に対応するコマ番号と進みコマ数とを対応付けて記憶する前記特定リール用の第１停止テーブルと、
前記各回転リールの各図柄に対応するコマ番号と、回転を停止するか停止しないかの停止・非停止の２状態を１ビットで表す停止データとを対応付けて記憶する各回転リールごとの第２停止テーブルと、
前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段
として機能させることを特徴とする遊技機用プログラム。
【請求項９】
それぞれ周囲に複数の図柄が表示された複数の回転リールと、遊技者の操作により前記各回転リールの回転を開始させるためのスタートスイッチと、前記各回転リールに対応してそれぞれ設けられ遊技者の操作により対応する回転リールの回転を停止させるための複数のストップスイッチと
を備えた遊技機を、
前記複数の回転リールのうち予め定められた特定リールの各図柄に対応するコマ番号と進みコマ数とを対応付けて記憶する前記特定リール用の第１停止テーブルと、
前記各回転リールの各図柄に対応するコマ番号と、回転を停止するか停止しないかの停止・非停止の２状態を１ビットで表す停止データとを対応付けて記憶する各回転リールごとの第２停止テーブルと、
前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段
として機能させることを特徴とする遊技機用プログラムを記録したコンピュータ読み取り可能な記録媒体。
【発明の詳細な説明】
【技術分野】
【０００１】
本発明は、スロットマシンなどの遊技機に設けられる回転リールの回転を停止させる停止制御技術に関するものである。
【背景技術】
【０００２】
従来、複数の図柄が表示された例えば３個の左・中・右回転リールを備え、スタートスイッチが操作されると、３個すべての回転リールの回転を開始させるとともに抽選を行い、左・中・右ストップスイッチのいずれかが操作されると、そのストップスイッチに対応する回転リールを抽選結果に基づき停止制御し、３個すべての回転リールが停止したときに、所定の図柄が所定の入賞ライン上に揃うと入賞と判定して、遊技者に対して所定の利益を付与するように構成した遊技機が知られている（例えば特許文献１，２参照）。この特許文献１に記載の遊技機では、各回転リールの各図柄に対応するコマ番号と進みコマ数とを記憶した停止テーブルを備え、各ストップスイッチの操作時のコマ番号に対応する進みコマ数だけコマ番号を進ませて停止させるようにしている。この特許文献１に記載の遊技機では、進みコマ数を０〜４のいずれかの整数としているため、３つの進みコマ数の停止データを２進数で記述するためには３×３＝９ビットの記憶エリアが必要となるが、データを圧縮することにより８ビットで記述している。また、特許文献２に記載の遊技機は、特許文献１に記載の遊技機に対して停止テーブルの記憶容量を削減することを課題とするもので、進みコマ数に代えて、停止するか停止しないかの停止・非停止の２状態を１ビットで表す停止データを記憶する停止テーブルを備え、ストップスイッチの操作時のコマ番号に対応する停止データが非停止のときは停止となるコマ番号まで回転リールを進ませて停止させるようにしている。特許文献２に記載の停止テーブルでは、８ビットで８種類の停止テーブルが記述できるため、８ビットで３種類の停止テーブルが記述できる特許文献１に記載の停止テーブルに対して、同等の停止テーブルを記憶するための記憶容量が３／８に削減できている。
【０００３】
【特許文献１】特開平  ６−３０４３００号公報（段落００２５、図４）
【特許文献２】特開平１１−１７８９８７号公報（段落００２２、図２）
【発明の開示】
【発明が解決しようとする課題】
【０００４】
ところで、上記したような停止するか停止しないかの停止・非停止の２状態を１ビットで記述した停止テーブルでは、進みコマ数を記述した停止テーブルの全てを表現できないという不都合が判明した。これについて図１１、図１２を参照して説明する。図１１は各回転リールの進みコマ数を記述した停止テーブルの一例を示す図、図１２は各回転リールの停止するか停止しないかの停止・非停止の２状態を１ビットで記述した停止テーブルの一例を示す図である。
【０００５】
図１１の停止テーブルを用いると、例えば左ストップスイッチの操作時のコマ番号が６番であれば３コマ進み、５番であれば２コマ進み、４番であれば１コマ進み、３番であれば停止する。したがって、左ストップスイッチの操作時のコマ番号が６番〜３番のいずれであっても、３番の位置で停止することとなる。このように、図１１の停止テーブルでは、左リールは、左ストップスイッチの操作時のコマ番号がいずれであったとしても、進みコマ数が「０」の位置、すなわちコマ番号が３番、７番、１１番、１５番、１６番、２０番の位置のみにおいて停止することとなる。
【０００６】
また、例えば右ストップスイッチの操作時のコマ番号が、３番であれば４コマ進み、２番であれば３コマ進み、１番であれば２コマ進み、０番であれば１コマ進み、２０番であれば停止する。したがって、右ストップスイッチの操作時のコマ番号が３番〜０番、２０番のいずれであっても、２０番の位置で停止することとなる。このように、図１１の停止テーブルでは、右リールは、右ストップスイッチの操作時のコマ番号がいずれであったとしても、進みコマ数が「０」の位置、すなわちコマ番号が４番、６番、９番、１１番、１５番、１６番、２０番の位置のみにおいて停止することとなる。
【０００７】
これは、図１１の左リールおよび右リールでは、下から進みコマ数「０」のコマ番号に向かって、進みコマ数が「０，０」、「１，０」、「２，１，０」、「３，２，１，０」、「４，３，２，１，０」のいずれかに設定されており、「０」が連続するか、または、順に１ずつ減って「０」になるかのいずれかになっているためである。
【０００８】
したがって、停止・非停止の２状態を１ビットで記述した停止テーブルでは、図１２に示すように、図１１で進みコマ数が「０」のコマ番号を「停止（図１２では１）」とし、それ以外のコマ番号を「非停止（図１２では０）」とすることによって、図１２における左リールおよび右リールの停止制御を図１１と同一にすることができる。
【０００９】
一方、図１２における中リールの停止データも、図１１で進みコマ数が「０」のコマ番号を「停止（図１２では１）」とし、それ以外のコマ番号を「非停止（図１２では０）」としているが、両者は同一の停止制御を表していない。例えば図１２の停止テーブルでは、中ストップスイッチの操作時のコマ番号が５番〜９番のいずれであったとしても、中リールはコマ番号が５番の位置で停止し、コマ番号が７番の位置で停止することはない。
【００１０】
これに対して、図１１の停止テーブルでは、中ストップスイッチの操作時のコマ番号が８番のときは１コマ進んで７番の位置で停止し、コマ番号が９番のときは２コマ進んでやはり７番の位置で停止する。ここで、図１１に示すように、コマ番号が７番の進みコマ数は「２」となっており、中ストップスイッチの操作時のコマ番号が７番のときは２コマ進んでコマ番号が５番の位置で停止する。すなわち、図１１の停止テーブルでは、中ストップスイッチの操作時のコマ番号が７番のときは２コマ進み、しかも操作時のコマ番号が８番、９番のときは７番の位置で停止する。
【００１１】
このように、図１１の停止テーブルでは、中リールは、進みコマ数が「０」以外の位置でも停止することとなる。これは、中リールのコマ番号９番〜６番において、進みコマ数が「２，１，２，１」と、１ずつ減って「０」になることなく、再び２から１ずつ減っているためである。ところが、図１２の停止テーブルでは、各コマ番号において、停止するか停止しないかの二者択一の停止データしか記述できないため、図１１に示すような中リールの停止制御を表現することができない。
【００１２】
このように、図１１に示す進みコマ数を記述した停止テーブルを用いる場合に比べて、図１２に示す停止するか停止しないかの停止・非停止の２状態を１ビットで記述した停止テーブルを用いる場合には、停止テーブルを記憶するための容量は削減できるものの、実現可能な停止制御の種類が低減するため、遊技の興趣が低下してしまう虞がある。
【００１３】
本発明は、上記課題に鑑みてなされたもので、停止テーブルの記憶容量を削減しつつ、実現可能な停止制御の種類の低減を可能な限り抑制するようにした遊技機、遊技機用プログラムおよび遊技機用プログラムを記録したコンピュータ読み取り可能な記録媒体を提供することを目的とする。
【課題を解決するための手段】
【００１４】
上記目的を達成するために、本発明に係る遊技機は、それぞれ周囲に複数の図柄が表示された複数の回転リールと、遊技者の操作により前記各回転リールの回転を開始させるためのスタートスイッチと、前記各回転リールに対応してそれぞれ設けられ遊技者の操作により対応する回転リールの回転を停止させるための複数のストップスイッチと、前記複数の回転リールのうち予め定められた特定リールの各図柄に対応するコマ番号と進みコマ数とを対応付けて記憶する前記特定リール用の第１停止テーブルと、前記各回転リールの各図柄に対応するコマ番号と、回転を停止するか停止しないかの停止・非停止の２状態を１ビットで表す停止データとを対応付けて記憶する各回転リールごとの第２停止テーブルと、前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段とを備えたことを特徴としている（請求項１）。
【００１５】
また、所定の基準位置に位置する前記各回転リールの各図柄に対応するコマ番号を検出する検出手段をさらに備え、前記停止制御手段は、前記第１停止テーブルを用いるときは、前記特定リールに対応するストップスイッチの操作時に前記基準位置に位置する前記特定リールの図柄に対応するコマ番号を前記検出手段により検出し、該検出したコマ番号に対応付けられた前記進みコマ数だけ進ませて前記特定リールを停止させ、前記第２停止テーブルを用いるときは、前記各回転リールに対応するストップスイッチの操作時に前記基準位置に位置する前記各回転リールの図柄に対応するコマ番号を前記検出手段により検出し、該検出したコマ番号に対応付けられた前記停止データが停止のときは該コマ番号で前記各回転リールを停止させ、前記停止データが非停止のときは前記停止データが停止となるコマ番号まで進ませて前記各回転リールを停止させるものであるとしてもよい（請求項２）。
【００１６】
また、前記スタートスイッチの操作に基づき抽選を行う抽選手段をさらに備え、前記第１停止テーブルは、前記抽選手段の複数の抽選結果に対応してそれぞれ少なくとも１個ずつ設定されて複数個設けられ、前記第２停止テーブルは、前記各回転リールごとに、前記抽選手段の複数の抽選結果に対応してそれぞれ少なくとも１個ずつ設定されて複数個ずつ設けられ、前記停止制御手段は、前記特定リールの停止制御に用いる第１停止テーブルを前記複数個から前記抽選手段の抽選結果に基づき選択し、前記非特定リールの停止制御に用いる第２停止テーブルを前記複数個から前記抽選手段の抽選結果に基づき選択するとしてもよい（請求項３）。
【００１７】
また、前記複数個の第１停止テーブルにそれぞれ対応する複数個の第１選択データをさらに備え、前記各回転リールは、それぞれＮ（Ｎは２以上の整数）個の図柄を有し、前記進みコマ数は０〜Ｍ（Ｍは１５以下の正の整数）のいずれかの整数であり、前記第１停止テーブルは、Ｎ個の各図柄に対応するコマ番号に対応付けられた前記進みコマ数をＮバイトのテーブルデータのそれぞれ上位４ビットおよび下位４ビットに記憶してなり、前記Ｎバイトのテーブルデータは、複数設けられ、前記複数個の第１選択データは、それぞれ複数の前記Ｎバイトのテーブルデータのうちの１つのテーブルデータの上位４ビットおよび下位４ビットのいずれかに対応するもので、前記停止制御手段は、前記抽選手段の抽選結果に基づき前記複数個の第１選択データから１つの第１選択データを決定し、この決定した第１選択データに対応する第１停止テーブルを選択するとしてもよい（請求項４）。
【００１８】
また、所定の基準位置に位置する前記各回転リールの各図柄に対応するコマ番号を検出する検出手段をさらに備え、前記停止制御手段は、前記第１停止テーブルを用いるときは、前記特定リールに対応するストップスイッチの操作時に前記基準位置に位置する前記特定リールの図柄に対応するコマ番号を前記検出手段により検出し、該検出したコマ番号に対応付けられた前記進みコマ数だけ進ませて前記特定リールを停止させ、前記第２停止テーブルを用いるときは、前記各回転リールに対応するストップスイッチの操作時に前記基準位置に位置する前記各回転リールの図柄に対応するコマ番号を前記検出手段により検出し、該検出したコマ番号に対応付けられた前記停止データが停止のときは該コマ番号で前記各回転リールを停止させ、前記停止データが非停止のときは前記停止データが停止となるコマ番号まで進ませて前記各回転リールを停止させるものであるとしてもよい（請求項５）。
【００１９】
また、前記各回転リールごとに、前記複数個の第２停止テーブルにそれぞれ対応する複数個の第２選択データをさらに備え、前記停止制御手段は、前記抽選手段の抽選結果に基づき、前記各回転リールごとに、前記複数個の第２選択データから１つの第２選択データを決定し、前記特定リールに対応するストップスイッチが最初に操作されたときに、前記特定リールの停止時に前記基準位置に位置する該特定リールの図柄に対応するコマ番号を前記検出手段により検出し、前記検出手段の検出結果と前記抽選手段の抽選結果とに基づき前記第２選択データを変更し、その変更した第２選択データに対応する第２停止テーブルを選択するとしてもよい（請求項６）。
【００２０】
また、前記複数の回転リールおよび前記複数のストップスイッチは、それぞれ横方向に並んで配設され、前記特定リールおよび該特定リールに対応するストップスイッチは、それぞれ左端に配設されているとしてもよい（請求項７）。
【００２１】
また、上記目的を達成するために、本発明に係る遊技機用プログラムは、それぞれ周囲に複数の図柄が表示された複数の回転リールと、遊技者の操作により前記各回転リールの回転を開始させるためのスタートスイッチと、前記各回転リールに対応してそれぞれ設けられ遊技者の操作により対応する回転リールの回転を停止させるための複数のストップスイッチとを備えた遊技機を、前記複数の回転リールのうち予め定められた特定リールの各図柄に対応するコマ番号と進みコマ数とを対応付けて記憶する前記特定リール用の第１停止テーブルと、前記各回転リールの各図柄に対応するコマ番号と、回転を停止するか停止しないかの停止・非停止の２状態を１ビットで表す停止データとを対応付けて記憶する各回転リールごとの第２停止テーブルと、前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段として機能させることを特徴としている（請求項８）。
【００２２】
また、上記目的を達成するために、本発明に係る遊技機用プログラムを記録したコンピュータ読み取り可能な記録媒体は、それぞれ周囲に複数の図柄が表示された複数の回転リールと、遊技者の操作により前記各回転リールの回転を開始させるためのスタートスイッチと、前記各回転リールに対応してそれぞれ設けられ遊技者の操作により対応する回転リールの回転を停止させるための複数のストップスイッチとを備えた遊技機を、前記複数の回転リールのうち予め定められた特定リールの各図柄に対応するコマ番号と進みコマ数とを対応付けて記憶する前記特定リール用の第１停止テーブルと、前記各回転リールの各図柄に対応するコマ番号と、回転を停止するか停止しないかの停止・非停止の２状態を１ビットで表す停止データとを対応付けて記憶する各回転リールごとの第２停止テーブルと、前記複数のストップスイッチのうち前記特定リールに対応するストップスイッチが最初に操作されたときは、前記第１停止テーブルを用いて前記特定リールの停止を制御するとともに、前記特定リール以外の非特定リールについては当該非特定リールに対応する前記第２停止テーブルを用いて前記非特定リールの停止を制御する一方、前記非特定リールに対応するストップスイッチが最初に操作されたときは、前記各回転リールごとに前記第２停止テーブルを用いて前記各回転リールの停止を制御する停止制御手段として機能させることを特徴としている（請求項９）。
【発明の効果】
【００２３】
請求項１，８，９の発明によれば、特定リールの各図柄に対応するコマ番号と進みコマ数とを対応付けて記憶する第１停止テーブルを特定リール用のみとし、各回転リールの各図柄に対応するコマ番号と、回転を停止するか停止しないかの停止・非停止の２状態を１ビットで表す停止データとを対応付けて記憶する各回転リールごとの第２停止テーブルを備えているため、各回転リールについてコマ番号と進みコマ数とを対応付けて記憶する例えば上記特許文献１に記載のような装置に比べて停止テーブルの記憶容量を削減することができる。また、特定リールに対応するストップスイッチが最初に操作されたときは、第１停止テーブルを用いて特定リールの停止を制御するとともに、特定リール以外の非特定リールについては当該非特定リールに対応する第２停止テーブルを用いて非特定リールの停止を制御しているため、コマ番号と１ビットで表す停止データとを対応付けて記憶する停止テーブルのみを用いる例えば上記特許文献２に記載のような装置に比べて実現可能な停止制御の種類を増大することができ、また、各回転リールについてコマ番号と進みコマ数とを対応付けて記憶する例えば上記特許文献１に記載のような装置に比べて実現可能な停止制御の種類の低減を可能な限り抑制することが可能になる。さらに、最初に操作されたストップスイッチが特定リールに対応するものか非特定リールに対応するものかによって停止制御に用いる停止テーブルを変えているため、各回転リールの停止制御をバラエティに富んだものにすることができる。
【００２４】
また、請求項２，５の発明によれば、第１停止テーブルを用いるときは、特定リールに対応するストップスイッチの操作時に所定の基準位置に位置する特定リールの図柄に対応するコマ番号を検出手段により検出し、該検出したコマ番号に対応付けられた進みコマ数だけ進ませて特定リールを停止させているため、特定リールの停止制御をバラエティに富んだものにすることができ、これによって遊技者の興趣を高めることができる。また、第２停止テーブルを用いるときは、各回転リールに対応するストップスイッチの操作時に基準位置に位置する各回転リールの図柄に対応するコマ番号を検出手段により検出し、該検出したコマ番号に対応付けられた停止データが停止のときは該コマ番号で各回転リールを停止させ、停止データが非停止のときは停止データが停止となるコマ番号まで進ませて各回転リールを停止させているため、必要な記憶容量を削減した簡易な停止テーブルで、各回転リールの停止制御を行うことができる。
【００２５】
また、請求項３の発明によれば、特定リールの停止制御に用いる第１停止テーブルを抽選手段の抽選結果に基づき選択し、非特定リールの停止制御に用いる第２停止テーブルを抽選手段の抽選結果に基づき選択するため、抽選手段の抽選結果に応じてバラエティに富んだ各回転リールの停止制御を行うことができる。
【００２６】
また、請求項４の発明によれば、それぞれ複数のＮバイトのテーブルデータのうちの１つのテーブルデータの上位４ビットおよび下位４ビットのいずれかに対応する複数個の第１選択データから、抽選手段の抽選結果に基づき１つの第１選択データを決定し、この決定した第１選択データに対応する第１停止テーブルを選択するため、抽選結果に基づき第１停止テーブルの選択を容易に行える。
【００２７】
また、請求項６の発明によれば、抽選手段の抽選結果に基づき、各回転リールごとに、複数個の第２選択データから１つの第２選択データを決定し、特定リールに対応するストップスイッチが最初に操作されたときに、特定リールの停止時に基準位置に位置する該特定リールの図柄に対応するコマ番号を検出手段により検出し、検出手段の検出結果と抽選手段の抽選結果とに基づき第２選択データを変更し、その変更した第２選択データに対応する第２停止テーブルを選択しているため、例えば同一の抽選結果でも特定リールの図柄に対する非特定リールの図柄の揃う位置を変えるように制御するなど、バラエティに富んだ非特定リールの停止制御が可能になる。
【００２８】
また、請求項７の発明によれば、複数の回転リールおよび複数のストップスイッチは、それぞれ横方向に並んで配設され、特定リールおよび該特定リールに対応するストップスイッチは、それぞれ左端に配設されているが、一般に、遊技者は左端のストップスイッチを最初に操作することが多いため、多くの場合は特定リールの停止制御に第１停止テーブルが用いられることとなり、これによって遊技者の興趣を高めることが可能になる。
【発明を実施するための最良の形態】
【００２９】
図１は本発明に係る遊技機の一実施形態であるスロットマシンの正面図、図２は回転リールの図柄配列の一例を示す図、図３は回転リールの図柄に対応するコマ番号の配列と回転方向を示す図である。この実施形態におけるスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００３０】
そして、この正面板９には横長矩形の表示窓１１が設けられている。また、表示窓１１の内側には左・中・右の回転リール１３Ｌ，１３Ｍ，１３Ｒ（図４参照）が配置されている。左・中・右回転リール１３Ｌ，１３Ｍ，１３Ｒには、図２に示すように、「７」「チェリー」「ベル」「スイカ」「カエル」「ＢＡＲ」「Replay」の複数種類（この実施形態では例えば７種類）の図柄が合計２１個、所定の配列でそれぞれ表示されている。また、各図柄には、０番から２０番までのコマ番号が順に付されている。そして、例えば図３に示すように、コマ番号０番から２０番までの図柄が印刷されたシールテープ１４Ｌがリールの周面に貼り付けられて左回転リール１３Ｌが構成される。そして、左回転リール１３Ｌが図３中の矢印方向に回転すると、コマ番号２０番、１９番、…、０番、２０番、…の順に図柄が表示窓１１に表示される。表示窓１１からは、各回転リール１３Ｌ，１３Ｍ，１３Ｒの回転が停止すると、図柄が上段、中段および下段にそれぞれ１個の合計３個ずつ覗くように設定されている。すなわち、３個すべての回転リール１３Ｌ，１３Ｍ，１３Ｒが停止すると、縦３列横３行に配列された合計９個の図柄が表示されるようになっている。なお、中・右回転リール１３Ｍ，１３Ｒも、それぞれ図３の左回転リール１３Ｌと同様に構成されている。
【００３１】
更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各回転リールの回転を開始させるためのレバー状のスタートスイッチ１９、左・中・右回転リール１３Ｌ，１３Ｍ，１３Ｒの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００３２】
また、正面板９の上方のほぼ中央には、動画などを表示して演出を行うための液晶表示器２７が設けられ、液晶表示器２７のすぐ上方には、各種の入賞図柄が表示された説明パネル２９が設けられ、これら液晶表示器２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００３３】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、筐体３の内部の回転リール１３Ｌ，１３Ｍ，１３Ｒの下方には、メダルを払出口３９に排出するためのホッパーユニット４３（図４参照）が配設されている。
【００３４】
図４はスロットマシン１の電気的構成を示すブロック図、図５はメイン制御基板６３の機能を示す機能ブロック図である。図４において、投入センサ５１は、筐体３内部のメダル投入口２５近傍に設けられ、投入されたメダルを１枚ずつ検知するものである。払出センサ５３は、ホッパーユニット４３の出口に設けられ、払出口３９に払い出されるメダルを１枚ずつ検知するものである。左・中・右位置センサ５５Ｌ，５５Ｍ，５５Ｒは、左・中・右回転リール１３Ｌ，１３Ｍ，１３Ｒの回転位置をそれぞれ検出するためのもので、例えば左・中・右回転リール１３Ｌ，１３Ｍ，１３Ｒにそれぞれ設けられた突起部を検出するフォトインタラプタからなり、左・中・右回転リール１３Ｌ，１３Ｍ，１３Ｒが回転すると一周ごとに突起部を検出してその検出信号をメイン制御基板６３に出力する。この実施形態では例えば、左・中・右位置センサ５５Ｌ，５５Ｍ，５５Ｒが上記突起部を検出したときに、それぞれコマ番号２０番の図柄が表示窓１１の中段に位置するように構成されている。なお、回転リール１３Ｌ，１３Ｍ，１３Ｒは、それぞれ、この実施形態では例えばステッピングモータによって回転駆動される。
【００３５】
また、このスロットマシン１では、遊技に関する制御を行うメインＣＰＵ６１が実装されたメイン制御基板６３と、遊技に関連する演出の制御を行うサブＣＰＵ７１が実装されたサブ制御基板７３とが別々に設けられている。メイン制御基板６３のＲＡＭ６５はデータを一時的に記憶し、ＲＯＭ６７は予め設定されたデータ（後述の停止テーブルなど）を含む遊技機用プログラムを記憶する。メインＣＰＵ６１は、この遊技機用プログラムにしたがって動作することで、遊技に関する制御を行う。また、メインＣＰＵ６１は、遊技に関連するデータを演出制御データとしてサブＣＰＵ７１に送る。サブ制御基板７３のメモリ７５は、データを一時的に記憶するＲＡＭ部と演出用プログラムを記憶するＲＯＭ部とからなる。サブＣＰＵ７１は、メインＣＰＵ６１からの演出制御データに基づき、演出用プログラムにしたがって動作することで、遊技に関連する演出の制御を行う。例えば、サブＣＰＵ７１は、遊技の進行や抽選結果などに対応して予め設定された演出パターンに応じて、液晶表示器２７に動画を表示したり、スピーカ３１Ｌ，３１Ｒから音楽を発生させたり、上部ランプ部３３や下部ランプ部３７Ｌ，３７Ｒの光源を一斉にあるいは個別に点滅させる。
【００３６】
図５において、メイン制御基板６３の遊技制御手段１００は遊技を制御する。遊技には、一般的な遊技である通常遊技と、遊技者にとって通常遊技よりも有利な遊技である特別遊技（ボーナスゲーム）とがあり、遊技制御手段１００はこれらの遊技を制御する。
【００３７】
通常遊技について簡単に説明すると、このスロットマシン１では、投入センサ５１によりメダル投入口２５からのメダル投入が検出されるか、あるいはベットスイッチ１５または最大ベットスイッチ１７の操作によりクレジットメダルの投入指示があると、ゲームが開始される。そして、ゲーム開始後にスタートスイッチ１９を操作すると、まず、当選か否かの役抽選が行われ、ほぼ同時に、３個すべての回転リール１３Ｌ，１３Ｍ，１３Ｒの回転が開始する。その後に、３個のストップスイッチ２１Ｌ，２１Ｍ，２１Ｒのうちの１個を操作すると、当該ストップスイッチ２１Ｌ，２１Ｍ，２１Ｒに対応した回転リール１３Ｌ，１３Ｍ，１３Ｒの回転が停止する。そして、３個すべてのストップスイッチ２１Ｌ，２１Ｍ，２１Ｒを操作し終えると、３個すべての回転リール１３Ｌ，１３Ｍ，１３Ｒの回転が停止する。このとき、所定の図柄が所定の位置に停止すると入賞になり、ホッパーユニット４３により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００３８】
役抽選の結果には、特定導入遊技当選（ビッグボーナス（ＢＢ）当選）と、特定遊技当選（レギュラーボーナス（ＲＢ）当選）と、小役当選と、再遊技当選（Replay当選）と、ハズレとがある。また、入賞には、特定導入遊技（ＢＢゲーム）への移行に係る特定導入遊技入賞（ＢＢ入賞）と、特定遊技（ＲＢゲーム）への移行に係る特定遊技入賞（ＲＢ入賞）と、所定枚数のメダルの払い出しに係る小役入賞と、再遊技（Replay）の実行に係る再遊技入賞（Replay入賞）とがある。
【００３９】
上記ＲＢゲームとは、特定入賞遊技（ＪＡＣゲーム）を複数回行い得ることにより、通常遊技よりも当選確率が高い遊技をいい、また、ＢＢゲームとは、ＲＢゲームの導入確率が高い遊技を言う。そして、所定の図柄（例えば「７」や「カエル」）が入賞ライン上に３個揃うと、ＢＢ入賞となり、払い出しがある場合にはメダルが払い出されて、通常遊技からＢＢゲームに移行する。また、所定の図柄（例えば「ＢＡＲ」）が入賞ライン上に３個揃うと、ＲＢ入賞となり、払い出しがある場合にはメダルが払い出されて、通常遊技からＲＢゲームに移行する。また、所定の図柄（例えば「スイカ」や「ベル」）が入賞ライン上に３個揃うか、あるいは、左回転リール１３Ｌの単独入賞図柄（例えば「チェリー」）が入賞ライン上で停止すると、それぞれ小役入賞となり、それぞれ所定枚数のメダルが払い出される。また、例えば、「Replay」の図柄が入賞ライン上に３個揃うと、Replay入賞となり、新たなメダルを投入することなく、前回の遊技と同じ条件で再度遊技を行うことができる。
【００４０】
なお、役抽選の結果がＢＢ当選になると、ＢＢ当選に基づいた回転リール１３Ｌ，１３Ｍ，１３Ｒの停止制御が行われるが、このとき、ＢＢ入賞が引き当てられないと、このＢＢ当選は、ＢＢ入賞が引き当てられるまで持ち越されることとなっている。ＲＢ当選についても同様である。ＢＢ当選またはＲＢ当選が持ち越された状態をそれぞれ「ＢＢ内部当り」、「ＲＢ内部当り」と称する。一方、小役当選は、役抽選結果が小役当選となった遊技で小役入賞を引き当てられないと、次回の遊技には持ち越されないこととなっている。Replay当選についても同様である。
【００４１】
抽選手段１１０は抽選を行うもので、図５に示すように、役抽選のためのハード乱数発生手段１１１、ハード乱数抽出手段１１２、役抽選テーブル１１３および役抽選判定手段１１４と、後述する停止テーブル選択のためのソフト乱数発生手段１１５およびソフト乱数抽出手段１１６とを備えている。
【００４２】
ハード乱数発生手段１１１は、役抽選用の乱数を、所定の範囲内（例えば、１０進数で０〜１６３８３）で発生させるものである。このハード乱数発生手段１１１は、例えば発振回路および発振回路が発生させたクロック信号をカウントするカウンタ回路によって構成されている。ハード乱数抽出手段１１２は、ハード乱数発生手段１１１が発生させた乱数を抽出するもので、ハード乱数発生手段１１１が発生させた乱数を所定の条件（この実施形態では例えばスタートスイッチ１９の操作）で抽出する。役抽選テーブル１１３は、ハード乱数発生手段１１１が発生させる全範囲の乱数について、当選か否かをあらかじめ所定の割合で定めたものである。この役抽選テーブル１１３は、ハード乱数発生手段１１１が発生させる全範囲の乱数について、ＢＢ当選にするか、ＲＢ当選にするか、小役当選にするか、Replay当選にするか、あるいはハズレにするかを、あらかじめ所定の割合で定めている。役抽選判定手段１１４は、ハード乱数抽出手段１１２が抽出した乱数と、役抽選テーブル１１３とを照合して、役抽選結果の判定を行うもので、役抽選結果が、ＢＢ当選か、ＲＢ当選か、小役当選か、Replay当選か、あるいはハズレかを判定する。
【００４３】
ソフト乱数発生手段１１５は、停止テーブル選択用の乱数を、所定の範囲内（例えば、１０進数で０〜２５５）で発生させるものである。このソフト乱数発生手段１１５は、例えば平均採中法で乱数を発生させる手段や素数の加算によって乱数を発生させる手段によって構成されている。ソフト乱数抽出手段１１６は、ソフト乱数発生手段１１５が発生させた乱数を抽出するもので、ソフト乱数発生手段１１５が発生させた乱数を所定の条件（この実施形態では例えばスタートスイッチ１９の操作）で抽出する。
【００４４】
検出手段１２０は、左・中・右位置センサ５５Ｌ，５５Ｍ，５５Ｒの検出信号と、左・中・右回転リール１３Ｌ，１３Ｍ，１３Ｒを駆動する各ステッピングモータへの供給パルス数とに基づき、左・中・右回転リール１３Ｌ，１３Ｍ，１３Ｒの回転位置をそれぞれ検出するものである。すなわち、この検出手段１２０は、左・中・右回転リール１３Ｌ，１３Ｍ，１３Ｒの回転中および回転停止時に、所定の基準位置（この実施形態では例えば、表示窓１１の中段）に位置する図柄に対応するコマ番号をそれぞれ検出する。
【００４５】
停止制御手段１２５は、抽選手段１１０の抽選結果に基づき、停止テーブル１３０を用いて、各回転リール１３Ｌ，１３Ｍ，１３Ｒの停止制御を行うものである。この停止テーブル１３０は、各回転リール１３Ｌ，１３Ｍ，１３Ｒの停止位置を決定するためのものであって、図５に示すように、進みコマ数停止テーブル１３１、左リール用簡易停止テーブル１３２、中リール用簡易停止テーブル１３３、右リール用簡易停止テーブル１３４を備えている。図６は進みコマ数停止テーブル１３１の、図７は左リール用簡易停止テーブル１３２の、図８は中リール用簡易停止テーブル１３３の、図９は右リール用簡易停止テーブル１３４の、それぞれ一部を示す図である。
【００４６】
進みコマ数停止テーブル１３１は、左回転リール１３Ｌの各図柄に対応するコマ番号と予め定めた進みコマ数とが対応付けられたものである。この進みコマ数停止テーブル１３１は、例えば図６に示すように、２１個の図柄に対応して容量２１バイトで１つのテーブルデータが設定されており、２１バイトの各上位４ビットに停止テーブルＸ１が、各下位４ビットに停止テーブルＸ２が、それぞれ記憶されている。すなわち、容量２１バイトで２１個の図柄について２種類の進みコマ数停止テーブル１３１が記憶されている。
【００４７】
左リール用簡易停止テーブル１３２は、左回転リール１３Ｌの各図柄に対応するコマ番号と、回転を停止するか停止しないかの停止・非停止の２状態を１ビットで表す停止データとが対応付けられたものである。左リール用簡易停止テーブル１３２は、例えば図７に示すように、２１個の図柄に対応して容量２１バイトで１つのテーブルデータが設定されており、２１バイトの各ビットに停止テーブルＢＴＲ３０〜ＢＴＲ３７がそれぞれ記憶されている。すなわち、容量２１バイトで２１個の図柄について８種類の左リール用簡易停止テーブル１３２が記憶されている。また、中・右リール用簡易停止テーブル１３３，１３４も、それぞれ図８、図９に示すように、左リール用簡易停止テーブル１３２と同様に構成され、それぞれ容量２１バイトで２１個の図柄について８種類の中・右リール用簡易停止テーブル１３３，１３４が記憶されている。
【００４８】
そして、停止制御手段１２５は、抽選手段１１０の抽選結果に基づき、各回転リール１３Ｌ，１３Ｍ，１３Ｒの停止制御に用いる停止テーブルを選択する。すなわち、停止制御手段１２５は、役抽選判定手段１１４の判定結果とソフト乱数抽出手段１１６が抽出した乱数とに基づき、停止テーブル１３０の選択に用いる第１選択データＤＡＴＡ１と、第２選択データＤＡＴＡ２とを決定する。そして、各ストップスイッチ２１Ｌ，２１Ｍ，２１Ｒのうちで左ストップスイッチ２１Ｌが最初に操作されたときは、停止制御手段１２５は、第１選択データＤＡＴＡ１を用いて、進みコマ数停止テーブル１３１のうちから１つの停止テーブルを選択し、その選択した停止テーブルを用いて左回転リール１３Ｌの停止制御を行う。また、検出手段１２０による停止した左回転リール１３Ｌの基準位置（表示窓１１の中段）の図柄に対応するコマ番号検出結果と抽選手段１１０の抽選結果とに基づき第２選択データＤＡＴＡ２を変更し、その変更した第２選択データＤＡＴＡ２を用いて、中・右リール用簡易停止テーブル１３２，１３３のうちからそれぞれ１つの停止テーブルを選択する。そして、それらの選択した停止テーブルを用いて、中・右ストップスイッチ２１Ｍ，２１Ｒの操作に応じて、中・右回転リール１３Ｍ，１３Ｒの停止制御を行う。
【００４９】
一方、左ストップスイッチ２１Ｌ以外のストップスイッチ、すなわち中ストップスイッチ２１Ｍまたは右ストップスイッチ２１Ｒが最初に操作されたときは、最初に決定した第２選択データＤＡＴＡ２を用いて、左・中・右リール用簡易停止テーブル１３２，１３３，１３４のうちからそれぞれ１つの停止テーブルを選択し、その選択した停止テーブルを用いて、各ストップスイッチ２１Ｌ，２１Ｍ，２１Ｒの操作に応じて、左・中・右回転リール１３Ｌ，１３Ｍ，１３Ｒの停止制御を行う。
【００５０】
進みコマ数停止テーブル１３１を用いるときは、左ストップスイッチ２１Ｌの操作時に表示窓１１の中段（基準位置）に位置する左回転リール１３Ｌの図柄に対応するコマ番号を検出手段１２０で検出し、そのコマ番号に対応付けられた進みコマ数だけ進ませて左回転リール１３Ｌを停止させる。すなわち、例えば進みコマ数が「０」のときは、左ストップスイッチ２１Ｌの操作時に表示窓１１の中段に表示されていた図柄はそのまま表示窓１１の中段に表示され、進みコマ数が「１」のときは、左ストップスイッチ２１Ｌの操作時に表示窓１１の中段に表示されていた図柄は、左回転リール１３Ｌの回転方向に１コマ進んで表示窓１１の下段に表示される。例えば図６の進みコマ数停止テーブル１３１のうち停止テーブルＸ１が用いられる場合には、左ストップスイッチ２１Ｌの操作時に左回転リール１３Ｌのコマ番号８番の図柄（図２では「ベル」）が表示窓１１の中段に位置するときは、４コマだけ進んでコマ番号４番の図柄（図２では「Replay」）が表示窓１１の中段に位置して停止するように、左回転リール１３Ｌが停止制御される。
【００５１】
また、中リール用簡易停止テーブル１３３を用いるときは、中ストップスイッチ２１Ｍの操作時に表示窓１１の中段（基準位置）に位置する中回転リール１３Ｍの図柄に対応するコマ番号を検出手段１２０で検出し、そのコマ番号に対応付けられた停止データが「停止」か否かを判定する。そして、「停止」のときはそのまま停止させる一方、「非停止」のときは１コマ進ませて、再び停止データが「停止」か否かを判定する。このようにして停止データが「停止」となるまで１コマずつ進ませて中回転リール１３Ｍを停止させる。例えば図８の中リール用簡易停止テーブル１３３の停止テーブルＢＴＲ３５が用いられる場合には、中ストップスイッチ２１Ｍの操作時に中回転リール１３Ｍのコマ番号９番の図柄（図２では「ＢＡＲ」）が表示窓１１の中段に位置するときは、４コマだけ進んでコマ番号５番の図柄（図２では「Replay」）が表示窓１１の中段に位置して停止するように、中回転リール１３Ｍが停止制御される。左・右リール用簡易停止テーブル１３２，１３４を用いるときも同様の停止制御が行われる。
【００５２】
進みコマ数停止テーブル１３１は、役抽選結果ごとに複数備えられている。この場合において、進みコマ数停止テーブル１３１は、左ストップスイッチ２１Ｌの操作時における左回転リール１３Ｌの回転位置と、進みコマ数との関係が異なることがあるように定められている。これによって、役抽選結果が同一であって、かつ、左ストップスイッチ２１Ｌの操作時における左回転リール１３Ｌの回転位置が同じであっても、左回転リール１３Ｌの停止位置（表示窓１１に表示される図柄）が異なることがあるようにしている。
【００５３】
この実施形態では例えば、図６に示すような２１バイトのテーブルデータが１１個備えられている。したがって、全部で１１×２＝２２種類の進みコマ数停止テーブル１３１が備えられている。そして、第１選択データＤＡＴＡ１の値に基づき、その２２種類のうちから１つの進みコマ数停止テーブル１３１が選択される。この実施形態では例えば、ＤＡＴＡ１＝１であれば図６の下位４ビットに記憶されている停止テーブルＸ２が選択され、ＤＡＴＡ１＝２であれば図６の上位４ビットに記憶されている停止テーブルＸ１が選択されるようになっている。なお、この実施形態では、役抽選の結果が異なっていても同じ進みコマ数停止テーブル１３１が選択されることもあるようになっている。
【００５４】
また、左・中・右リール用簡易停止テーブル１３２，１３３，１３４は、それぞれ役抽選結果ごとに複数備えられている。これによって、役抽選の結果が同一でも、図柄の停止位置が異なることがあるようにしている。ここで、左・中・右リール用簡易停止テーブル１３２，１３３，１３４は、それぞれ図７〜図９に示す２１バイトのテーブルデータを１グループとして、この実施形態では例えば１２グループ備えられている。したがって、全部で各リールごとに１２×８＝９６種類の簡易停止テーブル１３２，１３３，１３４が備えられている。
【００５５】
そして、左・中・右リール用簡易停止テーブル１３２，１３３，１３４のうちから停止テーブルを選択するときは、対応するグループの対応するビットの停止テーブルが選択されるように簡易停止テーブル１３２，１３３，１３４が設定されている。図７〜図９の各簡易停止テーブル１３２〜１３４は、それぞれ互いに対応するグループ（例えば第７グループ）を示している。そして、例えば左ストップスイッチ２１Ｌが最初に操作されて中・右リール用簡易停止テーブル１３３，１３４のみを用いる場合に、例えば図８の停止テーブルＢＴＲ３５が選択されるときは、図９の停止テーブルＢＴＲ３５が選択される。また、例えば中ストップスイッチ２１Ｍが最初に操作されて左・中・右リール用簡易停止テーブル１３２，１３３，１３４を用いる場合に、例えば図８の停止テーブルＢＴＲ３１が選択されるときは、図７および図９の停止テーブルＢＴＲ３１が選択される。すなわち、第２選択データＤＡＴＡ２は、各簡易停止テーブル１３２〜１３４のうちのグループ番号とビット番号とを指示するものであり、この第２選択データＤＡＴＡ２によって停止テーブルが選択されることとなる。
【００５６】
入賞判定手段１４０は、検出手段１２０により所定の図柄が所定の位置に停止したことが検出されると、入賞と判定するものである。具体的には、入賞判定手段１４０は、「７」または「カエル」の図柄が入賞ライン上に３個揃うとＢＢ入賞と判定し、「ＢＡＲ」の図柄が入賞ライン上に３個揃うとＲＢ入賞と判定する。また、入賞判定手段１４０は、「スイカ」または「ベル」の図柄が入賞ライン上に３個揃うか、あるいは左回転リール１３Ｌの「チェリー」が入賞ライン上で停止すると、それぞれ小役入賞と判定する。また、入賞判定手段１４０は、「Replay」の図柄が入賞ライン上に３個揃うとReplay入賞と判定する。払出制御手段１５０は、ホッパーユニット４３を制御して、入賞したときに入賞態様に応じた枚数のメダルを払い出すものである。また、払出制御手段１５０は、ホッパーユニット４３の制御に代えて、クレジットメダルを払出枚数だけ増加させるようにしてもよい。
【００５７】
このように、この実施形態では、左回転リール１３Ｌが本発明の「特定リール」に相当し、中・右回転リール１３Ｍ，１３Ｒが本発明の「非特定リール」に相当し、進みコマ数停止テーブル１３１が本発明の「特定リール用の第１停止テーブル」に相当し、左・中・右リール用簡易停止テーブル１３２，１３３，１３４がそれぞれ本発明の「各回転リールごとの第２停止テーブル」に相当する。
【００５８】
図１０は回転リールの制御手順の一例を示すフローチャートである。投入センサ５１によりメダル投入口２５からのメダル投入が検出されるか、あるいはベットスイッチ１５または最大ベットスイッチ１７の操作によりクレジットメダルの投入指示があると、ゲームが開始されて、図１０の動作が実行される。
【００５９】
まず、スタートスイッチ１９が操作されると（ステップ＃１０でＹＥＳ）、各回転リール１３Ｌ，１３Ｍ，１３Ｒの回転が開始されるとともに、抽選手段１１０により抽選が行われ（ステップ＃１１）、役抽選判定手段１１４の判定結果とソフト乱数抽出手段１１６により抽出された乱数とに基づき、第１選択データＤＡＴＡ１および第２選択データＤＡＴＡ２が決定される（ステップ＃１２）。次いで、左・中・右ストップスイッチ２１Ｌ，２１Ｍ，２１Ｒのうちで左ストップスイッチ２１Ｌが最初に操作されたか否かが判定される（ステップ＃１３）。
【００６０】
そして、左ストップスイッチ１３Ｌが最初に操作されると（ステップ＃１３でＹＥＳ）、第１選択データＤＡＴＡ１に基づき、進みコマ数停止テーブル１３１が選択され、その選択された進みコマ数停止テーブル１３１を用いて、左回転リール１３Ｌの停止制御が行われる（ステップ＃１４）。次いで、検出手段１２０による停止した左回転リール１３Ｌの基準位置の図柄に対応するコマ番号検出結果と抽選手段１１０の抽選結果とを用いて第２選択データＤＡＴＡ２が変更され（ステップ＃１５）、その変更された第２選択データＤＡＴＡ２を用いて中・右リール用簡易停止テーブル１３３，１３４が選択され、中・右ストップスイッチ２１Ｍ，２１Ｒの操作に応じて、それぞれ選択された中・右リール用簡易停止テーブル１３３，１３４を用いて、中・右回転リール１３Ｍ，１３Ｒの停止制御が行われる（ステップ＃１６）。
【００６１】
一方、左・中・右ストップスイッチ２１Ｌ，２１Ｍ，２１Ｒのうちで、中ストップスイッチ２１Ｍまたは右ストップスイッチ２１Ｒが最初に操作されたときは（ステップ＃１３でＮＯ）、ステップ＃１２で決定された第２選択データＤＡＴＡ２を用いて左・中・右リール用簡易停止テーブル１３２，１３３，１３４が選択され、左・中・右ストップスイッチ２１Ｌ，２１Ｍ，２１Ｒの操作に応じて、それぞれ選択された左・中・右リール用簡易停止テーブル１３２，１３３，１３４を用いて、左・中・右回転リール１３Ｌ，１３Ｍ，１３Ｒの停止制御が行われる（ステップ＃１７）。
【００６２】
このように、この実施形態によれば、各回転リール１３Ｌ，１３Ｍ，１３Ｒの各図柄に対応するコマ番号と、回転を停止するか停止しないかの停止・非停止の２状態を１ビットで表す停止データとを対応付けて記憶する左・中・右リール用簡易停止テーブル１３２，１３３，１３４を備えているため、各回転リールについてコマ番号と進みコマ数とを対応付けた停止テーブルを記憶する場合に比べて、停止テーブルの記憶容量を削減することができる。
【００６３】
また、左回転リール１３Ｌの各図柄に対応するコマ番号と進みコマ数とを対応付けて記憶する進みコマ数停止テーブル１３１を備え、左ストップスイッチ２１Ｌが最初に操作されたときは、複数の進みコマ数停止テーブル１３１から選択した停止テーブルを用いて左回転リール１３Ｌの停止を制御しているため、左・中・右リール用簡易停止テーブル１３２，１３３，１３４のみを備える場合に比べて実現可能な停止制御の種類を増大することができ、また、各回転リールについてコマ番号と進みコマ数とを対応付けた停止テーブルを記憶する場合に比べて実現可能な停止制御の種類の低減を可能な限り抑制することができる。一般に、遊技者は左ストップスイッチ２１Ｌを最初に操作することが多いため、多くの場合は左回転リール１３Ｌの停止制御に進みコマ数停止テーブル１３１が用いられることとなる。したがって停止制御の種類の低下が遊技者に意識されることはなく、遊技者の興趣を高めることが可能になる。
【００６４】
また、抽選手段１１０の抽選結果に基づき、左・中・右リール用簡易停止テーブル１３２，１３３，１３４からそれぞれ１つの停止テーブルを指示する第２選択データＤＡＴＡ２を決定し、左ストップスイッチ２１Ｌが最初に操作されたときに、検出手段１２０による停止した左回転リール１３Ｌの基準位置の図柄に対応するコマ番号検出結果と抽選手段１１０の抽選結果とに基づき第２選択データＤＡＴＡ２を変更し、その変更した第２選択データＤＡＴＡ２が指示する中・右リール用簡易停止テーブル１３３，１３４を選択しているため、例えば同一の抽選結果でも左回転リール１３Ｌの図柄に対する中・右回転リール１３Ｍ，１３Ｒの図柄の揃う位置を変えるように制御するなど、バラエティに富んだ停止制御が可能になる。
【００６５】
また、左・中・右リール用簡易停止テーブル１３２，１３３，１３４のうちから停止テーブルを選択する際に、対応するグループの対応するビットの停止テーブルが選択されるように簡易停止テーブル１３２，１３３，１３４が設定されているため、１つの第２選択データＤＡＴＡ２に基づき各リール用の簡易停止テーブル１３２，１３３，１３４を選択することができ、第２選択データＤＡＴＡ２を記憶するための記憶容量を削減することができる。さらに、第２選択データＤＡＴＡ２に基づき停止テーブルを選択するときの遊技機用プログラムの記憶容量を削減することが可能になる。
【００６６】
この実施形態において、図５の機能ブロック図に示すメイン制御基板６３の各機能は、メインＣＰＵ６１がＲＯＭ６７に格納されている遊技機用プログラムを実行することにより、実現することができる。すなわち、この実施形態では、メインＣＰＵ６１がコンピュータに対応し、ＲＯＭ６７が遊技機用プログラムを記録したコンピュータ読み取り可能な記録媒体に対応する。この場合において、上記実施形態ではＲＯＭ６７をメイン制御基板６３に実装されたメモリで構成しているが、これに限られず、ＤＶＤ−ＲＯＭ、ＣＤ−ＲＯＭ、ＭＯやリムーバブルハードディスクなど、スロットマシン１に着脱可能な記録媒体で構成してもよい。
【００６７】
なお、本発明は上記実施形態に限定されるものではなく、その趣旨を逸脱しない限りにおいて上述したもの以外に種々の変更を行うことが可能である。例えば、図６〜図９に示す進みコマ数停止テーブル１３１および左・中・右リール用簡易停止テーブル１３２，１３３，１３４のデータは一例であり、図示したものに限られない。また、上記実施形態ではメイン制御基板６３およびサブ制御基板７３の別々の制御基板を備え、それぞれＣＰＵおよびメモリを備える構成となっているが、本発明はこれに限られず、１つの制御基板を備え、１つのＣＰＵおよび１つのメモリで構成してもよい。また、上記実施形態では３リール式のスロットマシンとしているが、本発明はこれに限られず、複数の回転リールを備えた他の遊技機に適用することができる。
【図面の簡単な説明】
【００６８】
【図１】本発明に係る遊技機の一実施形態であるスロットマシンの外観を示す斜視図である。
【図２】回転リールの図柄配列の一例を示す図である。
【図３】回転リールの図柄のコマ番号の配列と回転方向を示す図である。
【図４】スロットマシンの電気的構成を示すブロック図である。
【図５】メイン制御基板の機能を示す機能ブロック図である。
【図６】複数の進みコマ数停止テーブルの一部を示す図である。
【図７】複数の左リール用簡易停止テーブルの一部を示す図である。
【図８】複数の中リール用簡易停止テーブルの一部を示す図である。
【図９】複数の右リール用簡易停止テーブルの一部を示す図である。
【図１０】回転リールの制御手順の一例を示すフローチャートである。
【図１１】進みコマ数を記憶した停止テーブルの一例を示す図である。
【図１２】停止データを１ビットで表した停止テーブルの一例を示す図である。
【符号の説明】
【００６９】
１３Ｌ…左回転リール（特定リール）、１３Ｍ，１３Ｒ…中・右回転リール（非特定リール）、１９…スタートスイッチ、２１Ｌ，２１Ｍ，２１Ｒ…左・中・右ストップスイッチ、５５Ｌ，５５Ｍ，５５Ｒ…左・中・右位置センサ、６１…メインＣＰＵ、６３…メイン制御基板、６７…ＲＯＭ、１１０…抽選手段、１２０…検出手段、１２５…停止制御手段、１３０…停止テーブル、１３１…進みコマ数停止テーブル（特定リール用の第１停止テーブル）、１３２…左リール用簡易停止テーブル（左リールの第２停止テーブル）、１３３…中リール用簡易停止テーブル（中リールの第２停止テーブル）、１３４…右リール用簡易停止テーブル（右リールの第２停止テーブル）、ＤＡＴＡ１…第１選択データ、ＤＡＴＡ２…第２選択データ
【図１】
2005319187.tif 000003
【図２】
2005319187.tif 000004
【図３】
2005319187.tif 000005
【図４】
2005319187.tif 000006
【図５】
2005319187.tif 000007
【図６】
2005319187.tif 000008
【図７】
2005319187.tif 000009
【図８】
2005319187.tif 000010
【図９】
2005319187.tif 000011
【図１０】
2005319187.tif 000012
【図１１】
2005319187.tif 000013
【図１２】
2005319187.tif 000014